(57)【要約】  被密封流体の漏洩量をより少なくすると共にトルクの増大及び局所摩耗を防止し、密封と潤滑を両立させることのできる摺動部品を提供することを目的とする。   一対の摺動部品の互いに相対摺動する一方側の摺動面には、該摺動面の低圧流体側（大気側）に位置して前記摺動面より低い環状の極浅段差部を設け、該極浅段差部の面には摺動面から低圧流体側（大気側）に漏洩しようとする流体を高圧流体側（被密封流体側）に押し戻す作用を有するポンピング溝を設けることを特徴としている。
2014024741.tif 000002
【特許請求の範囲】
【請求項１】
一対の摺動部品の互いに相対摺動する一方側の摺動面には、該摺動面の低圧流体側に位置して前記摺動面より低い環状の極浅段差部を設け、該極浅段差部の面には摺動面から低圧流体側に漏洩しようとする流体を高圧流体側に押し戻す作用を有するポンピング溝を設けることを特徴とする摺動部品。 
【請求項２】
前記極浅段差部の摺動面からの深さｈが、好ましくは、１０ｎｍ〜１μｍの範囲に設定されることを特徴とする請求項１記載の摺動部品。 
【請求項３】
前記極浅段差部の摺動面からの深さｈが、より好ましくは、５０〜５００ｎｍであることを特徴とする請求項１記載の摺動部品。 
【請求項４】
前記極浅段差部の径方向の幅ｂが、好ましくは、摺動面の径方向の幅の１／２〜１／１０の範囲に設定されることを特徴とする請求項１ないし３のいずれか１項に記載の摺動部品。 
【請求項５】
前記ポンピング溝は、スパイラル形状の溝から構成されることを特徴とする請求項１ないし４のいずれか１項に記載の摺動部品。 
【請求項６】
前記ポンピング溝は、複数のディンプルから構成されることを特徴とする請求項１ないし４のいずれか１項に記載の摺動部品。 
【請求項７】
前記ポンピング溝は、微細な周期溝から構成されることを特徴とする請求項１ないし４のいずれか１項に記載の摺動部品。 
【発明の詳細な説明】
【技術分野】
【０００１】
本発明は、たとえば、メカニカルシール、軸受、その他、摺動部に適した摺動部品に関する。特に、摺動面に流体を介在させて摩擦を低減させるとともに、摺動面から流体が漏洩するのを防止する必要のある密封環または軸受などの摺動部品に関する。 
【背景技術】
【０００２】
摺動部品の一例である、メカニカルシールにおいて、密封性を長期的に維持させるためには、「密封」と「潤滑」という相反する条件を両立させなければならない。特に、近年においては、環境対策などのために、被密封流体の漏れ防止を図りつつ、機械的損失を低減させるべく、より一層、低摩擦化の要求が高まっている。低摩擦化の手法としては、回転により摺動面間に動圧を発生させ、液膜を介在させた状態で摺動する、いわゆる流体潤滑状態とすることにより達成できる。しかしながら、この場合、摺動面間に正圧が発生するため、流体が正圧部分から摺動面外へ流出する。軸受でいう側方漏れであり、シールの場合の漏れに該当する。 【０００３】
従来、シール面外周側に密封流体、内周側に大気があり、外周側の流体を密封している、いわゆるインサイド形といわれているメカニカルシールにおいて、摩擦トルクを小さく、かつ、密封性を良好にするため、図４に示すように、固定側密封環５１と回転側密封環５２の密封端面５０の内周に、内方に向かってゆるやかに広がるせばまり通路５３を設け、この通路５３の側部には放射状に一重または多重のうず巻状の溝５４を設け、このうず巻溝５４の一端が密封端面５０の内周に接するようにしたものが知られている（以下、「従来技術１」という。特許文献１参照。）。 【０００４】
また、従来、インサイド形といわれているメカニカルシール等に用いられる摺動部品において、図５に示すように、摺動面６０に設けられて環状を成す第１ダム部６１と、第１ダム部６１から回転方向の被密封流体側へ傾斜角度で傾斜した細溝のディンプル部の複数個を環状に配列した吸込手段６２と、第１ダム部６１から吸込手段６２側とは反対側の回転方向へ傾斜角度で傾斜した細溝のディンプル部の複数個を環状に配置した吐出手段６３と、吐出手段６３の第１ダム部６１と反対側の周面に形成されたシール面６４とを有するものが知られている（以下、「従来技術２」という。特許文献２参照。）。 【０００５】
しかし、従来技術１は、密封端面５０の径方向の幅を小さくし、密封端面５０の内周に内方に向かってゆるやかに広がるせばまり通路５３を設け、この通路５３の側部にうず巻状の溝５４を設けるものであるため、第１には、密封端面５０の面圧が大きくなり、局所摩耗が増大するという問題、第２には、せばまり通路５３の内周側のうず巻状の溝５４のポンピング効果が小さくなるという問題があった。 【０００６】
また、従来技術２は、シール面の被密封流体側に傾斜した細溝のディンプル部の複数個を環状に配列して被密封流体を積極的にシール面に引き込むと共に、シール面の大気側に傾斜した細溝のディンプル部の複数個を環状に配置することによりポンピング効果で流体を被密封流体側に押し戻すようにしたものであるが、被密封流体側のディンプル部のポンピング効果が強すぎると漏れ量が増大し、逆に、大気側のディンプル部のポンピング効果が強すぎるとシール面から被密封流体が無くなり、シール面に形成されたこれらディンプル部が相手側摺動面と直接接触してトルクが増大すると共に、次第にディンプル部が摩耗してポンピング効果が発揮されなくなるという問題があった。 
【先行技術文献】
【特許文献】
【０００７】
【特許文献１】実開昭５９−１９５２５４号公報
【特許文献２】特開２００５−１８０６５２号公報
【発明の概要】
【発明が解決しようとする課題】
【０００８】
本発明は、被密封流体の漏洩量をより少なくすると共にトルクの増大及び局所摩耗を防止し、密封と潤滑を両立させることのできる摺動部品を提供することを目的とするものである。 
【課題を解決するための手段】
【０００９】
上記目的を達成するため本発明の摺動部品は、第１に、一対の摺動部品の互いに相対摺動する一方側の摺動面には、該摺動面の低圧流体側（大気側）に位置して前記摺動面より低い環状の極浅段差部を設け、該極浅段差部の面には摺動面から低圧流体側（大気側）に漏洩しようとする流体を高圧流体側（被密封流体側）に押し戻す作用を有するポンピング溝を設けることを特徴としている。 
この特徴によれば、摺動面全体（極浅段差部を除く）が極浅段差部より高圧流体側に位置することから摺動面全体（極浅段差部を除く）の潤滑状態を維持しつつ被密封流体の漏れを低減することができると共に、摺動面に直接溝が形成された従来技術と異なり、万一、摺動面に流体が無くなったとしても、極浅段差部は相手側摺動面と直接接触しないため、ポンピング溝が回転トルクの増加要因とはならず、回転トルクの増大を防止することができる。また、摺動面がある程度摩耗したとしても、ポンピング溝には影響がないため、潤滑特性及び漏れ特性に悪影響を与えることがない。 
また、従来技術１のように、摺動面の径方向の幅を小さくする必要がないため、摺動面の面圧が大きくなることもない。 【００１０】
また、本発明の摺動部品は、第２に、第１の特徴において、前記極浅段差部の摺動面からの深さｈが、好ましくは、１０ｎｍ〜１μｍの範囲に設定されることを特徴としている。 
また、本発明の摺動部品は、第３に、第１の特徴において、前記極浅段差部の摺動面からの深さｈが、より好ましくは、５０〜５００ｎｍであることを特徴としている。 
また、本発明の摺動部品は、第４に、第１ないし第３のいずれかの特徴において、前記極浅段差部の径方向の幅ｂが、好ましくは、摺動面の径方向の幅の１／２〜１／１０の範囲に設定されることを特徴としている。 
第２ないし第４の特徴によれば、より一層、漏れ低減、回転トルクの増大防止、及び局所摩耗の防止を図ることができる。 【００１１】
また、本発明の摺動部品は、第５に、第１ないし第４のいずれかの特徴において、前記ポンピング溝は、スパイラル形状の溝から構成されることを特徴としている。 
また、本発明の摺動部品は、第６に、第１ないし第４のいずれかの特徴において、前記ポンピング溝は、複数のディンプルから構成されることを特徴としている。 
また、本発明の摺動部品は、第７に、第１ないし第４のいずれかの特徴において、前記ポンピング溝は、微細な周期溝から構成されることを特徴としている。 
第５ないし第７の特徴によれば、ポンピング効率のよいポンピング溝を得ることができる。 
【発明の効果】
【００１２】
本発明は、以下のような優れた効果を奏する。 
（１）一方側の摺動面の低圧流体側（大気側）に位置して摺動面より低い環状の極浅段差部を設け、該極浅段差部の面には摺動面から低圧流体側（大気側）に漏洩しようとする流体を高圧流体側（被密封流体側）に押し戻す作用を有するポンピング溝を設けることにより、摺動面全体（極浅段差部を除く）が極浅段差部より高圧流体側に位置することから摺動面全体（極浅段差部を除く）の潤滑状態を維持しつつ被密封流体の漏れを低減することができると共に、摺動面に直接溝が形成された従来技術と異なり、万一、摺動面に流体が無くなったとしても、極浅段差部は相手側摺動面と直接接触しないため、ポンピング溝が回転トルクの増加要因とはならず、回転トルクの増大を防止することができる。また、摺動面がある程度摩耗したとしても、ポンピング溝には影響がないため、潤滑特性及び漏れ特性に悪影響を与えることがない。 
また、従来技術１のように、摺動面の径方向の幅を小さくする必要がないため、摺動面の面圧が大きくなることもない。 【００１３】
（２）極浅段差部の深さ及び径方向の幅を最適に設定することにより、より一層、漏れ低減、回転トルクの増大防止、及び局所摩耗の防止を図ることができる。 
（３）ポンピング溝を、スパイラル形状の溝、複数のディンプル、あるいは、微細な周期溝から構成により、ポンピング効率のよいポンピング溝を得ることができる。 
【図面の簡単な説明】
【００１４】
【図１】一般産業機械用のメカニカルシールの一例を示す縦断面図である。
【図２】本発明の実施形態に係り、極浅段差部及びポンピング溝が形成された摺動面を示す平面図である。
【図３】摺動面に形成された極浅段差部及びポンピング溝を説明する斜視図であって、（ａ）は、ポンピング溝がスパイラル形状の溝から構成される場合を、（ｂ）は、ポンピング溝が複数のディンプルから構成される場合を、（ｃ）は、ポンピング溝が微細な周期溝から構成される場合を示している。
【図４】従来技術１を説明する図であって、（ａ）は縦断面図、（ｂ）は図（ａ）のＸ−Ｘ断面図である。
【図５】従来技術２を説明する平面図である。
【発明を実施するための形態】
【００１５】
本発明に係る摺動部品を実施するための形態を図面を参照しながら詳細に説明する。
なお、本実施形態においてはメカニカルシールを構成する部品が摺動部品である場合を例にして説明するが、本発明はこれに限定されて解釈されるものではなく、本発明の範囲を逸脱しない限りにおいて、当業者の知識に基づいて、種々の変更、修正、改良を加えうるものである。   
【００１６】
本発明の実施の形態に係る摺動部品について図１ないし３を参照しながら説明する。 
図１は、一般産業機械用のメカニカルシールの一例を示す正面断面図である。 
図１のメカニカルシールは摺動面の外周から内周の方向に向かって漏れようとする被密封流体を密封する形式のインサイド形式のものであって、高圧流体側（被密封流体側）のポンプインペラ（図示省略）を駆動させる回転軸１側にスリーブ２を介してこの回転軸１と一体的に回転可能な状態に設けられた一方の摺動部品を構成する円環状の回転環３と、ポンプのハウジング４に固定されたシールカバー５に非回転状態かつ軸方向移動可能な状態で設けられた他方の摺動部品を構成する円環状の固定環６とが、この固定環６を軸方向に付勢するベローズ７によって、ラッピング等によって鏡面仕上げされた摺動面Ｓ同士で密接摺動するようになっている。すなわち、このメカニカルシールは、回転環３と固定環６との互いの摺動面Ｓにおいて、被密封流体が回転軸１の外周から内周側へ流出するのを防止するものである。 
【００１７】
回転環３及び固定環６は、代表的にはＳｉＣ（硬質材料）同士またはＳｉＣ（硬質材料）とカーボン（軟質材料）の組み合わせで形成されるが、摺動材料にはメカニカルシール用摺動材料として使用されているものは適用可能である。ＳｉＣとしては、ボロン、アルミニウム、カーボンなどを焼結助剤とした焼結体をはじめ、成分、組成の異なる２種類以上の相からなる材料、例えば、黒鉛粒子の分散したＳｉＣ、ＳｉＣとＳｉからなる反応焼結ＳｉＣ、ＳｉＣ−ＴｉＣ、ＳｉＣ−ＴｉＮなどがあり、カーボンとしては、炭素質と黒鉛質の混合したカーボンをはじめ、樹脂成形カーボン、焼結カーボン、などが利用できる。また、上記摺動材料以外では、金属材料、樹脂材料、表面改質材料（コーティング材料）、複合材料なども適用できる。 
【００１８】
図２及び３では、例えば、一方の摺動部品である円環状の固定環６の摺動面Ｓに本発明の極浅段差部及びポンピング溝が設けられた場合について説明するが、円環状の回転環３の摺動面に設けられてもよいことはもちろんである。 
通常、摺動部品の摺動面Ｓの内外周の一方側に高圧の被密封流体が存在し、他方側は大気であるが、図２及び３においては、説明の都合上、外周側に高圧の被密封流体が存在し、内周側に大気が存在する場合について説明する。 
【００１９】
固定環６の断面形状は、図１に示すように凸形状をしており、その頂面が摺動面Ｓを構成している。この摺動面Ｓには、図２及び３に示すように、低圧流体側（大気側）に位置して摺動面Ｓより低い環状の極浅段差部１０が設けられており、該極浅段差部１０の内周側は、低圧流体（大気）と接している、そして、極浅段差部１０の面には摺動面Ｓから低圧流体側（大気側）に漏洩しようとする流体を高圧流体側（被密封流体側）に押し戻す作用を有するポンピング溝１１が設けられている。 
【００２０】
環状の極浅段差部１０は、摺動面Ｓの径方向の幅全体ではなく、低圧流体側（大気側）、すなわち、本例においては内周側に設けられるもので、極浅段差部１０を除く摺動面全体が極浅段差部１０より高圧流体側に位置することから摺動面全体（極浅段差部を除く）の潤滑状態を維持しつつ被密封流体の漏れを低減することができる。 
【００２１】
極浅段差部１０の径方向の幅ｂ及び摺動面Ｓからの深さｈは、被密封流体の種類及び摺動部品の材質に応じて設定される。 
例えば、極浅段差部１０の径方向の幅ｂは、摺動面の径方向の幅Ｂ（極浅段差部も含む）の１／２〜１／１０の範囲に設定されることが望ましい。 
【００２２】
また、極浅段差部１０の摺動面Ｓからの深さｈは、好ましくは１０ｎｍ〜１μｍ、より好ましくは５０〜５００ｎｍの範囲に設定されるのがよい。 
【００２３】
極浅段差部１０の面に設けられるはポンピング溝１１は、摺動面Ｓから低圧流体側（大気側）に漏洩しようとする流体を高圧流体側（被密封流体側）に押し戻す作用を有するものであり、図２に示すように、相手側摺動部品が反時計方向に回転するとした場合、ポンピング溝１１は、固定環６の中心を通る線（直径）より反時計方向に傾斜して形成される。 
【００２４】
極浅段差部１０の径方向の幅ｂが狭いと潤滑特性は良いが、漏れやすくなり、逆に、径方向の幅が広いと漏れにくくなるものの、潤滑特性は悪くなるという性質をもっている。このため、極浅段差部１０の径方向の幅ｂは被密封流体の種類及び摺動部品の材質に応じて最適に設定される必要がある。 
【００２５】
次に、図３に基づいて極浅段差部１０の面に形成されたポンピング溝１１の構成例を説明する。 
図３（ａ）では、ポンピング溝１１はスパイラル形状の溝から構成されている。 
この場合、スパイラル形状は固定環６の中心を通る線（直径）より反時計方向に傾斜するようにして渦巻状に形成される。   
また、図３（ｂ）では、ポンピング溝１１は複数のディンプルから構成されている。 
この場合、複数のディンプルは固定環６の中心を通る線（直径）より反時計方向に傾斜するようにして形成される。   
さらに、図３（ｃ）では、ポンピング溝１１は微細な周期溝から構成されている。 
この場合、周期溝は相互に平行で一定のピッチの複数の線状の凹凸から構成されるものであり、固定環６の中心を通る線（直径）より反時計方向に傾斜するようにして形成される。 
【００２６】
次に、極浅段差部１０及びポンピング溝１１を摺動面Ｓに形成する手法について説明する。 
例えば、極浅段差部１０をエッチングによって加工し、さらに、極浅段差部１０の面にレーザでポンピング溝１１を形成するのが１つの手法である。また、極浅段差部１０及びポンピング溝１１をフェムト秒レーザ加工で一度に形成してもよい。さらに、エッチングあるいはフェムト秒レーザ加工に限らず、ピコ秒レーザや電子ビームで形成してもよい。さらにまた、極浅段差部１０及びポンピング溝１１が形成可能なものであれば他の加工方法でもよい。 
【００２７】
本発明の実施の形態に係る摺動部品を備えた図１に示すようなメカニカルシールにおいて、回転環３及び固定環６の摺動面Ｓには高圧の被密封流体が入り込み隙間を広げようとするが、該隙間を広げようとする力と、固定環６を背部から押す流体圧及びベローズ７による力とがバランスして狭い隙間を保持することで摺動面Ｓは流体潤滑状態を維持する。摺動面Ｓの狭い隙間に浸入した被密封流体は低圧流体側（大気側）に漏洩しようとするが、本発明においては、摺動面Ｓの低圧流体側（大気側）（図１〜３では内周側）に設けられた極浅段差部１０及びポンピング溝１１により低圧流体側（大気側）に漏洩しようとする流体は高圧流体側（被密封流体側）に押し戻される。このため、低圧流体側（大気側）から漏洩する被密封流体の量は相当程度低減される。 
【００２８】
本発明の実施の形態に係る摺動部品の作用・効果は以下のとおりである。 
本発明においては、低圧流体側（大気側）に位置して摺動面Ｓより低い環状の極浅段差部１０の面には摺動面Ｓから低圧流体側（大気側）に漏洩しようとする流体を高圧流体側（被密封流体側）に押し戻す作用を有するポンピング溝１１が設けられているため、摺動面全体（極浅段差部を除く）が極浅段差部より高圧流体側に位置することから摺動面全体（極浅段差部を除く）の潤滑状態を維持しつつ被密封流体の漏れを低減することができると共に、摺動面に直接溝が形成された従来技術と異なり、万一、摺動面に流体が無くなったとしても、極浅段差部は相手側摺動面と直接接触しないため、ポンピング溝が回転トルクの増加要因とはならず、回転トルクの増大を防止することができる。また、摺動面がある程度摩耗したとしても、ポンピング溝には影響がないため、潤滑特性及び漏れ特性に悪影響を与えることがない。 
また、従来技術１のように、摺動面の径方向の幅を小さくする必要がないため、摺動面の面圧が大きくなることもない。 
【００２９】
以上、本発明の実施の形態を図面により説明してきたが、具体的な構成はこれら実施の形態に限られるものではなく、本発明の要旨を逸脱しない範囲における変更や追加があっても本発明に含まれる。 
【００３０】
例えば、前記実施の形態では、摺動部品をメカニカルシール装置における一対の回転用密封環及び固定用密封環のいずれかに用いる例について説明したが、円筒状摺動面の軸方向一方側に潤滑油を密封しながら回転軸と摺動する軸受の摺動部品として利用することも可能である。 
【００３１】
また、例えば、前記実施の形態では、外周側に高圧の被密封流体が存在する場合について説明したが、内周側が高圧流体の場合にも適用でき、その場合、極浅段差部１０及びポンピング溝１１は摺動面の外周側に配設すればよい。 
【符号の説明】
【００３２】
１            回転軸 
２            スリーブ 
３            回転環 
４            ハウジング 
５            シールカバー 
６            固定環 
７            ベローズ 
１０          極浅段差部 
１１          ポンピング溝 
Ｓ            摺動面 
Ｂ            摺動面の径方向の幅（極浅段差部を含む） 
ｂ            極浅段差部の径方向の幅 
ｈ            極浅段差部の深さ 
【図１】
2014024741.tif 000003
【図２】
2014024741.tif 000004
【図３】
2014024741.tif 000005
【図４】
2014024741.tif 000006
【図５】
2014024741.tif 000007
【国際調査報告】
2014024741.tif 000008
2014024741.tif 000009
2014024741.tif 000010
2014024741.tif 000011